【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
第2のセルのサブフレームにチャネル伝送が存在するときに、端末デバイスが、シグナリングによって構成されたチャネル構成情報に基づいて、前記第2のセルの電力余力（PH）を決定するステップであって、前記PHが前記第2のセルの前記サブフレームに対応し、前記PHが以下の数式によって決定され、
【数１】
2016540447.tif 000001
cが前記第2のセルであり、iが前記第2のセルのサブフレームの指標であり、
【数２】
2016540447.tif 000002
が前記第2のセルの前記サブフレームiにおける所与の仮定の上での前記UEの最大送信電力であり、PO＿PUSCH，c（1）が開ループ電力制御調整値であり、αc（1）が一部伝搬損補正値であり、PLcが前記端末デバイスによる測定によって獲得される前記第2のセルの伝搬損であり、fc（i）が閉ループ電力制御調整値である、前記ステップと、
前記端末デバイスが前記PHを第1のネットワークデバイスへ送信し、かつ、前記
【数３】
2016540447.tif 000003
の前記第1のネットワークデバイスへの送信をスキップするステップであって、前記第1のネットワークデバイスが第1のセルを制御するネットワークデバイスである、前記ステップと、
を含む、電力使用状態情報伝送方法。
【請求項２】
前記チャネルは、
物理アップリンク共有チャネル（PUSCH）および物理アップリンク制御チャネル（PUCCH）
のうちの少なくとも1つのチャネルを含む、請求項1に記載の方法。
【請求項３】
前記チャネル構成情報がチャネル送信状態の情報を含み、前記チャネル送信状態がPUSCH及び／もしくはPUCCHを送信するべきかを含む、
請求項1もしくは2に記載の方法。
【請求項４】
動的スケジューリングによってPUSCH送信が許可されるときに、PO＿PUSCH，c（1）が前記開ループ電力制御調整値である、
請求項1〜3のいずれか1項に記載の方法。
【請求項５】
前記端末デバイスが、前記第2のセルの前記PHを決定する前記ステップの前に、
前記端末デバイスが、前記シグナリングを受信するステップであって、前記シグナリングは前記チャネル構成情報を含む、前記シグナリングを受信するステップ
をさらに含む、請求項1から4のいずれか一項に記載の方法。
【請求項６】
前記第2のセルが第2のネットワーク装置によって制御される、請求項1〜5のいずれか1項に記載の方法。
【請求項７】
端末デバイスに対応する第2のセルのサブフレームにチャネル伝送が存在するときに、第1のネットワークデバイスが、前記端末デバイスによって送信される前記第2のセルの電力余力（PH）を受信するステップであって、前記第1のネットワークデバイスは第1のセルを制御するネットワークデバイスであり、前記PHが前記第2のセルの前記サブフレームに対応し、前記PHが、シグナリングによって構成されたチャネル構成情報に基づいて、以下の数式によって決定され、
【数４】
2016540447.tif 000004
cが前記第2のセルであり、iが前記第2のセルのサブフレームの指標であり、
【数５】
2016540447.tif 000005
が前記第2のセルの前記サブフレームiにおける所与の仮定の上での前記UEの最大送信電力であり、PO＿PUSCH，c（1）が開ループ電力制御調整値であり、αc（1）が一部伝搬損補正値であり、PLcが前記端末デバイスによる測定によって獲得される前記第2のセルの伝搬損であり、fc（i）が閉ループ電力制御調整値である、前記ステップと、
前記PHに従って、前記第1のネットワークデバイスが、前記第2のセルの電力使用状態を取得するステップと
を含む、電力使用状態情報伝送方法。
【請求項８】
前記チャネルは、
物理アップリンク共有チャネル（PUSCH）および物理アップリンク制御チャネル（PUCCH）
のうちの少なくとも1つのチャネルを含む、請求項7に記載の方法。
【請求項９】
前記チャネル構成情報がチャネル送信状態情報を含み、前記チャネル送信状態がPUSCH及び／もしくはPUCCHを送信するべきかを含む、
請求項7または8に記載の方法。
【請求項１０】
動的スケジューリングによってPUSCH送信が許可されるときに、PO＿PUSCH，c（1）が開ループ電力制御調整値である、
請求項7〜9のいずれか1項に記載の方法。
【請求項１１】
前記第1のネットワークデバイスが、端末デバイスによって送信される、前記端末デバイスに対応する前記第2のセルの前記PHを受信する前記ステップの前に、
前記第1のネットワークデバイスが、前記端末デバイスへ前記シグナリングを送信するステップであって、前記シグナリングは前記チャネル構成情報を含む、前記端末デバイスへ前記シグナリングを送信するステップ
をさらに含む、請求項7から10のいずれか一項に記載の方法。
【請求項１２】
前記第2のセルが第2のネットワーク装置によって制御される、請求項7〜11のいずれか1項に記載の方法。
【請求項１３】
端末デバイスであって、
第2のセルのサブフレームにチャネル伝送が存在するときに、シグナリングによって構成されたチャネル構成情報に基づいて、前記端末デバイスに対応する前記第2のセルの電力余力（PH）を決定するよう、構成された、プロセッサであって、前記PHが前記第2のセルの前記サブフレームに対応し、前記PHが以下の数式によって決定され、
【数６】
2016540447.tif 000006
cが前記第2のセルであり、iが前記第2のセルのサブフレームの指標であり、
【数７】
2016540447.tif 000007
が前記第2のセルの前記サブフレームiにおける所与の仮定の上での前記UEの最大送信電力であり、PO＿PUSCH，c（1）が開ループ電力制御調整値であり、αc（1）が一部伝搬損補正値であり、PLcが前記端末デバイスによる測定によって獲得される前記第2のセルの伝搬損であり、fc（i）が閉ループ電力制御調整値である、前記プロセッサと、
前記PHを第1のネットワークデバイスへ送信し、かつ、前記
【数８】
2016540447.tif 000008
の前記第1のネットワークデバイスへの送信をスキップするよう構成された送信機であって、前記第1のネットワークデバイスが第1のセルを制御するネットワークデバイスである、前記送信機と、
を含む、端末デバイス。
【請求項１４】
前記チャネルは、
物理アップリンク共有チャネル（PUSCH）および物理アップリンク制御チャネル（PUCCH）
のうちの少なくとも1つのチャネルを含む、請求項13に記載の端末デバイス。
【請求項１５】
前記チャネル構成情報がチャネル送信状態情報を含み、前記チャネル送信状態がPUSCH及び／もしくはPUCCHを送信するべきかを含む、
請求項13もしくは14に記載の端末デバイス。
【請求項１６】
動的スケジューリングによってPUSCH送信が許可されるときに、PO＿PUSCH，c（1）が前記開ループ電力制御調整値である、
請求項13〜15のいずれか1項に記載の端末デバイス。
【請求項１７】
前記シグナリングを受信するように構成された受信機を更に含み、前記シグナリングは前記チャネル構成情報を含む、請求項13から16のいずれか一項に記載の端末デバイス。
【請求項１８】
前記第2のセルが第2のネットワーク装置によって制御される、請求項13〜16のいずれか1項に記載の端末デバイス。
【請求項１９】
ネットワークデバイスであって、
第2のセルのサブフレームにチャネル伝送が存在するときに、端末デバイスによって送信される、前記端末デバイスに対応する前記第2のセルの電力余力（PH）を受信するように構成された、受信機であって、前記第１のネットワークデバイスが第１のセルを管理するネットワークデバイスであり、前記PHが前記第2のセルの前記サブフレームに対応し、前記PHが、シグナリングによって構成されたチャネル構成情報に基づいて、以下の数式によって、決定され、
【数９】
2016540447.tif 000009
cが前記第2のセルであり、iが前記第2のセルのサブフレームの指標であり、
【数１０】
2016540447.tif 000010
が前記第2のセルの前記サブフレームiにおける所与の仮定の上での前記UEの最大送信電力であり、PO＿PUSCH，c（1）が開ループ電力制御調整値であり、αc（1）が一部伝搬損補正値であり、PLcが前記端末デバイスによる測定によって獲得される前記第2のセルの伝搬損であり、fc（i）が閉ループ電力制御調整値である、前記受信機と、
前記PHに従って、前記端末デバイスに対応する前記第2のセルの電力使用状態を取得するように構成されたプロセッサと
を含む、ネットワークデバイス。
【請求項２０】
前記チャネルは、
物理アップリンク共有チャネル（PUSCH）および物理アップリンク制御チャネル（PUCCH）
のうちの少なくとも1つのチャネルを含む、請求項19に記載のネットワークデバイス。
【請求項２１】
前記チャネル構成情報がチャネル送信状態情報を含み、前記チャネル送信状態がPUSCH及び／もしくはPUCCHを送信するべきかを含む、
請求項19もしくは20に記載のネットワークデバイス。
【請求項２２】
動的スケジューリングによってPUSCH送信が許可されるときに、PO＿PUSCH，c（1）が前記開ループ電力制御調整値である、
請求項19〜21のいずれか1項に記載のネットワークデバイス。
【請求項２３】
前記シグナリングを前記端末デバイスへ送信するように構成された送信機を更に含み、前記シグナリングは前記チャネル構成情報を含む、請求項19から22のいずれか一項に記載のネットワークデバイス。
【請求項２４】
前記第2のセルが他のネットワークデバイスによって制御される、請求項19〜23のいずれか1項に記載のネットワークデバイス。
【請求項２５】
端末と通信する第１のネットワークデバイスと、第２のネットワークデバイスとを含み、前記第１のネットワークデバイスが請求項19〜24のいずれか１項に記載の前記ネットワークデバイスである、通信システム。
【手続補正２】
【補正対象書類名】明細書
【補正対象項目名】０１２１
【補正方法】変更
【補正の内容】
【０１２１】
本発明の実施形態の目的、技術的解決策、および利点をより明確にするために、以下で、本発明の実施形態における添付の図面に関連して本発明の実施形態における技術的解決策を明確に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【手続補正３】
【補正対象書類名】明細書
【補正対象項目名】０１４７
【補正方法】変更
【補正の内容】
【０１４７】
任意選択で、前述のチャネル構成情報が以下を含むことができ、例えば、PUSCHのRBの数量は1であり、スケジューリング許可方式は動的スケジューリング許可（すなわちj＝1）であり、BPREは固定値として事前定義されており、ΔTF，c（i）は、BPREを上位層構成のパラメータと組み合わせることによって獲得することができ、またはΔTF，c（i）＝0であると直接事前定義され、UEはPUCCHを送信しない。任意選択で、参照構成においては、サービングセルcにおける送信電力に関連した、UEのパラメータ、例えば、最大電力低減（Maximum Power Reduction、略称MPR）は0dBであり、追加最大電力低減（Additional Maximum Power Reduction、略称A−MPR）は0dBであり、電力管理最大電力低減（Power Management Maximum Power Reduction、略称P−MPR）は0dBであり、TC＝0dBである、とさらに想定することもでき、パラメータに従って、計算を介して獲得されるサービングセルcの最大送信電力は
【数１１】
2016540447.tif 000011
であると想定され、TCは、バンド端送信電力制限条件に関連したパラメータである。獲得される
【数１２】
2016540447.tif 000012
は、UEのチャネル伝送状況に関連したものではなく、したがって、ある種の仮想最大送信電力である。
【手続補正４】
【補正対象書類名】明細書
【補正対象項目名】０１６１
【補正方法】変更
【補正の内容】
【０１６１】
3GPPの提案R2−133945では、非理想的バックホールのCA技術においては、UEに接続された2つのネットワークデバイスのスケジューラが相互に独立していることに言及している。スケジューラは他方のスケジューラがUEに関するスケジューリングをいつ行うか、およびUEに関するスケジューリングをどのように行うかを知らないため、スケジューラのどちらかがUEに関するアップリンクスケジューリング許可を独立して行うときには、UEの送信電力がUEの最大送信電力を超える問題が発生する可能性があり、電力圧縮が引き起こされる。この問題の発生を回避するために、提案R2−133945は、MeNodeBがUEに対応する別のSeNodeBのPHを獲得する必要がある方法を提案している。この提案は、MeNodeBが別のSeNodeBのPHに対応するアップリンクリソース割り振り状況を知らず、したがって、別のSeNodeBの仮想PHが固定チャネル構成に基づいて計算される必要があり、仮想PHがMeNodeBに報告される必要があることも提案している。しかし、UEは、チャネル伝送が存在するかどうか区別せずにPHを報告する。例えば、3GPP  Release11規格では、UEが仮想PHを計算するときに使用される最大送信電力は、実際のチャネル伝送状況に従った構成を介して獲得されるものではない仮想最大送信電力であると規定されている。したがって、仮想最大送信電力はMeNodeBに知られており、PHと共にMeNodeBに報告される必要がない。本実施形態はR2−133945で提供される方法と異なる。UEがSeNodeBの第2のPHを計算するときに、UEは、実際のチャネル伝送状況に従った構成を介して最大送信電力を獲得する。最大送信電力はMeNodeBには知られておらず、したがって、UEは、第2のPHを報告する間にMeNodeBに対応する最大送信電力を報告する必要がある。R2−133945で提供される方法と比べて、MeNodeBは、最大送信電力、および最大送信電力を用いた計算を介して獲得されるPHを獲得することができ、これらはSeNodeBにおける実際のチャネル伝送状況に従ってUEによって獲得されるものであり、このため、UEはSeNodeBにおける電力使用状況をより正確に知ることになる。任意選択で、PHを計算するのに使用されるチャネル構成情報は、シグナリングを用いて構成することもできる。事前定義された固定チャネル構成と比べて、本発明のシグナリング構成ベースの方式では、第1のネットワークデバイスが異なる場合における電力使用状況を知ることができるように、PHを計算するのに使用されるチャネル構成情報を柔軟に構成することができる。例えば、異なるスケジューリング許可方式でのチャネル構成情報を構成することができ、第1のネットワークデバイスは、第2のネットワークデバイスの異なるスケジューリング許可方式におけるUEの電力使用状況を知ることができる。
【手続補正５】
【補正対象書類名】明細書
【補正対象項目名】０１７０
【補正方法】変更
【補正の内容】
【０１７０】
任意選択で、前述のチャネル構成情報は、例えば、PUSCHのRBの数量は1であり、スケジューリング許可方式は動的スケジューリング許可（すなわち、j＝1）であり、BPREは固定値として事前定義されており、ΔTF，c（i）は、BPREを上位層構成のパラメータと組み合わせることによって獲得することができ、またはΔTF，c（i）＝0であると直接事前定義され、UEはPUCCHを送信しないこと、を含むことができる。任意選択で、参照構成においては、サービングセルcにおける送信電力に関連した、UEのパラメータ、例えば、最大電力低減（Maximum Power Reduction、略称MPR）は0dBであり、追加最大電力低減（Additional Maximum Power Reduction、略称A−MPR）は0dBであり、電力管理最大電力低減（Power Management Maximum Power Reduction、略称P−MPR）は0dBであり、TC＝0dBである、とさらに想定することもでき、パラメータに従って、計算を介して獲得されるサービングセルcの最大送信電力は
【数１３】
2016540447.tif 000013
であると想定され、TCは、バンド端送信電力制限条件に関連したパラメータである。
【手続補正６】
【補正対象書類名】明細書
【補正対象項目名】０２５０
【補正方法】変更
【補正の内容】
【０２５０】
図10は、本発明による端末デバイスの実施形態2の概略的構造図である。図10に示すように、本実施形態で提供される端末デバイス100は、プロセッサ1001とメモリ1002とを含む。端末デバイス100は、送信機1003と受信機1004とをさらに含むことができる。送信機1003および受信機1004は、プロセッサ1001に接続することができる。送信機1003は、データまたは情報を送信するように構成されており、受信機1004は、データまたは情報を受信するように構成されており、メモリ1002は、実行命令を記憶するように構成されている。端末デバイス100が動作するときに、プロセッサ1001とメモリ1002とは相互に通信し、プロセッサ1001はメモリ内の実行命令を呼び出し、前述の電力制御方法の実施形態1における動作を行うように構成される。
【手続補正７】
【補正対象書類名】図面
【補正対象項目名】図５
【補正方法】変更
【補正の内容】
【図５】
2016540447.tif 000014